(57)【要約】【課題】  従来にない全く新規な発想で使用者の用途・目的に合ったラックを極めて簡単に提供することにある。【解決手段】  パズルラック１０では、長方形タイプのパズルパーツ２０ａを横向きに配置して、そのスペース２１ａに文庫本を収容している。また、正方形タイプのパズルパーツ２０ｅのスペース２１ｅに置物用の壺を載置している。パズルラック１１では、長方形タイプのパズルパーツ２０ａを縦向きに配置して、そのスペース２１ａに運動用具（バット，テニスラケット）を収容している。また、正方形タイプのパズルパーツ２０ｅのスペース２１ｅにあひるの人形を載置している。【選択図】  図２
0003121509.tif 000002
【実用新案登録請求の範囲】
【請求項１】
物を収容又は載置するスペースを備えた複数のパズルパーツを組み立てて、オリジナルなラックを構成することを特徴とするパズルラック組立セット。
【請求項２】
異なる形状のパズルパーツを２種類以上組み立てて、オリジナルなラックを構成することを特徴とする請求項１記載のパズルラック組立セット。
【請求項３】
パズルパーツが板状部材で四方を囲った枠体であることを特徴とする請求項１又は２記載のパズルラック組立セット。
【請求項４】
パズルパーツを組立自在にするために、パズルパーツに組立用孔と、その組立用孔を介してパズルパーツどうしを締結する締結具とを備えたことを特徴とする請求項１から３のいずれかに記載のパズルラック組立セット。
【請求項５】
締結具は、ネジ山を備えた雄部材とネジ溝を備えた雌部材からなることを特徴とする請求項４記載のパズルラック組立セット。
【請求項６】
物を収容又は載置するスペースを備えた複数のパズルパーツを組み立てて構成されたことを特徴とするパズルラック。
【考案の詳細な説明】
【技術分野】
【０００１】
本考案は、複数のパーツを組み立てて構成されるラック（棚）に関するものである。
【背景技術】
【０００２】
従来、物を収容・載置するラックの多くは、予め収容・載置スペースの大きさが決められていたり、棚板の高さを上下に調整できるに過ぎなかった。このため、ラックのスペースに合わせて物を収容・載置しているのが現状であった。
【０００３】
しかし、本来的には自分の用途・目的に合ったラックを使用することが望ましいことであるが、そのようなラックを入手することはなかなか困難である。従って、オーダーメイドによる特注品か自作品となるが、費用や時間がかかってしまい、安易にそれらを選択することはできない。
【０００４】
このような観点から、これまでに収容・載置スペースをある程度自由に決められる家具であるとか（特許文献１を参照）、植木鉢用台（特許文献２）が開発されてきた。
【特許文献１】実用新案登録第３０９７３７８号公報
【特許文献２】実開昭６１−１５０４５１号公報
【考案の開示】
【考案が解決しようとする課題】
【０００５】
確かに、特許文献１や特許文献２などに開示された技術は、従来のラックよりも利便性を向上させて優れたものであるといえる。
これに対して、本考案者は、従来にない全く新規な発想で自分の用途・目的に合ったラックを極めて簡単に提供することを目的として、本考案を完成するに至った。
【課題を解決するための手段】
【０００６】
本考案の第１の考案は、物を収容又は載置するスペースを備えた複数のパズルパーツを組み立てて、オリジナルなラックを構成することを特徴とするパズルラック組立セットである。
第２の考案は、異なる形状のパズルパーツを２種類以上組み立てて、オリジナルなラックを構成することを特徴とするパズルラック組立セットである。
第３の考案は、パズルパーツが板状部材で四方を囲った枠体であることを特徴とするパズルラック組立セットである。
第４の考案は、パズルパーツを組立自在にするために、パズルパーツに組立用孔と、その組立用孔を介してパズルパーツどうしを締結する締結具とを備えたことを特徴とするパズルラック組立セットである。
第５の考案は、締結具は、ネジ山を備えた雄部材とネジ溝を備えた雌部材からなることを特徴とするパズルラック組立セットである。
第６の考案は、物を収容又は載置するスペースを備えた複数のパズルパーツを組み立てて構成されたことを特徴とするパズルラックである。
【考案の効果】
【０００７】
本考案によれば、次のような効果を有する。
（１）物を収容又は載置するスペースを備えた複数のパズルパーツを組み立ててラックを構成することによって、極めて簡単な方法で使用者の用途・目的に応じたラックを提供できるようになる。
（２）特に、異なる形状のパズルパーツを２種類以上組み立ててラックを構成することによって、大小様々な物に対応でき、使用者の用途・目的に応じたラックを提供できるようになる。
（３）パズルパーツが板状部材で四方を囲った枠体としたことで、物を収容又は載置するスペースを備えた様々なタイプのパズルパーツを極めて簡単に提供できるとともに、パズルパーツを組み立ててラックを構成することも極めて簡単にできるようになる。
（４）パズルパーツに組立用孔と、その組立用孔を介してパズルパーツどうしを締結する締結具とを備えたことによって、パズルパーツを組立自在にできるようになる。
（５）締結具は、ネジ山を備えた雄部材とネジ溝を備えた雌部材からなることで、パズルパーツどうしを簡易かつ確実に連結できるとともに、連結したパズルパーツどうしを簡易かつ確実に解体できる。
【考案を実施するための最良の形態】
【０００８】
図１は、本考案に係るパズルラックを構成するためのパズルパーツを示した説明図である。
図示するように、パズルパーツ２０は、板状部材で四方を囲った枠体である。この枠体の内側が物を収容又は載置するスペース２１となる。パズルパーツ２０は、収容・載置する物の形状，サイズ，態様などに対応させるために、様々なタイプのものを用意するとよい。図１に示したものはその一例であるが、パズルパーツ２０ａは長方形タイプ，パズルパーツ２０ｂはＬ字形タイプ，パズルパーツ２０ｃは段違タイプ，パズルパーツ２０ｄは凸字形タイプ，パズルパーツ２０ｅは正方形タイプとなっている。また、パズルパーツ２０には、パズルパーツ２０どうしを組み立てるための組立用孔２５を備えている。
【０００９】
図２は、本考案に係るパズルラックを示す説明図である。
パズルラック１０，１１は、図１で示したパズルパーツ２０ａ〜２０ｅを組み立てて構成されている。
パズルラック１０では、長方形タイプのパズルパーツ２０ａを横向きに配置して、そのスペース２１ａに文庫本を収容している。また、正方形タイプのパズルパーツ２０ｅのスペース２１ｅに置物用の壺を載置している。
パズルラック１１では、長方形タイプのパズルパーツ２０ａを縦向きに配置して、そのスペース２１ａに運動用具（バット，テニスラケット）を収容している。また、正方形タイプのパズルパーツ２０ｅのスペース２１ｅにあひるの人形を載置している。
【００１０】
このように、様々なタイプの複数のパズルパーツ２０を用いて自由に組み立てることによって、極めて簡単な方法で使用者の用途・目的に応じたラック１０を構成することができるようになる。
なお、組み立てるパズルラックは、図２のものに限定されることはなく、また、パズルパーツのタイプも図１のものに限定されることがないのは勿論である。
【００１１】
図３は、パズルパーツ２０，２０どうしの組立方法を示す説明図である。
上記のように、パズルパーツ２０には、組立用孔２５を備えている。まずは、パズルパーツ２０，２０の組立用孔２５，２５を合致させる。そして、この合致させた組立用孔２５，２５を介し、雄部材３１と雌部材３５からなる締結具３０を用いてパズルパーツ２０，２０を締結する。この時、雄部材３１にはネジ山３２を備え、雌部材３５にはネジ溝３６を備えることで両者は着脱自在に螺合可能となる。この結果、パズルパーツ２０，２０どうしを簡易かつ確実に連結できるとともに、連結したパズルパーツ２０，２０どうしを簡易かつ確実に解体できることになる。
【産業上の利用可能性】
【００１２】
本考案は、物を収容・載置するラックに広く利用できるものである。特に、利用者の用途・目的に合ったラックを極めて簡易な方法で提供する場合には、最も適した技術である。
【図面の簡単な説明】
【００１３】
【図１】本考案に係るパズルラックを構成するためのパズルパーツを示した説明図。
【図２】本考案に係るパズルラックを示す説明図。
【図３】パズルパーツどうしの組立方法を示す説明図。
【符号の説明】
【００１４】
１０，１１  パズルラック
２０  パズルパーツ    ２１  スペース    ２５  組立用孔
３０  締結具    ３１  雄部材    ３２  ネジ山    ３５  雌部材    ３６  ネジ溝
【図１】
0003121509.tif 000003
【図２】
0003121509.tif 000004
【図３】
0003121509.tif 000005